(57)【要約】【課題】  家庭用に用いる位牌は、戒名等を表示する表示部が設けられているものが広く用いられているが、全ての家庭に普及されることなく仏壇のある家庭のみに存在するのが現状であった。また、記載されている文字等も時間とともに変色、褪色していた。【課題手段】  額縁の嵌め込み部に、少なくとも戒名と、顔写真と俗名と命日と享年とメッセージ等を印刷したタイルを取付けた戒名入りフォトプレートである。また、そのタイルは額縁に嵌め込むことができるために視覚的にも仏具としてのイメージを少なくすることができ、故人などに対する親しみをより多くより深く感じさせることができる。また、タイルの表面は印刷過程において加熱・加圧され印刷面を保護する保護層が形成されるため、変色や褪色を抑えられ、半永久的に文字や写真などを残すことができる。また、着脱可能なために使用者の気持ちに応じてタイルを変化させることができる。【選択図】図１
2006158405.tif 000002
【特許請求の範囲】
【請求項１】
額縁の嵌め込み部に、少なくとも戒名と、顔写真と俗名と命日と享年と動物写真と植物写真と名前とニックネームとメッセージと詩と絵画と書画と手形と足形と似顔絵とプロフィールから選ばれた１項目以上を転写印刷又は焼付印刷したタイルが取付けられたことを特徴とする戒名入りフォトプレート。
【請求項２】
請求項１記載の戒名入りフォトプレートにおいて、前記戒名入りフォトプレートを額縁の嵌め込み部に着脱可能に取付けたことを特徴とする戒名入りフォトプレート。
【発明の詳細な説明】
【技術分野】
【０００１】
この発明は、日常生活において、より多くの人が故人又は亡くなった動物を敬い、手を合わせる気持ちを普及することを目的とするための戒名入りフォトプレートに関する。
【背景技術】
【０００２】
従来の家庭用に用いる位牌は、戒名を表示する表示部が設けられているものが広く用いられ、仏具としての位置付けとされている。
【０００３】
一般的に普及している位牌に顔写真を取付けたものがある。または、相手にメッセージを伝えるための手段として写真と文字を組み合わせたものがある。（特許文献１、２参照）
【特許文献１】実開平０３０３１３５５号公報  第１項、図１
【特許文献２】実開平０２０７１３１６号公報  第１項、図１
【発明の開示】
【発明が解決しようとする課題】
【０００４】
しかしながら、前記、従来の位牌は全ての家庭に普及されることなく仏壇のある家庭のみに存在するのが現状である。
【０００５】
従来は、木製の位牌が多く使用され、戒名など記載されている文字が長い年月とともに変色、褪色していくのが現状である。
【０００６】
そこで、この発明は、位牌と同価値の戒名入りフォトプレートを耐候性、耐久性を高め、より多くの家庭に提供することを課題とする。
【課題を解決するための手段】
【０００７】
以上の課題を解決するために、額縁の嵌め込み部に、少なくとも戒名と、顔写真と俗名と命日と享年と動物写真と植物写真と名前とニックネームとメッセージと詩と絵画と書画と手形と足形と似顔絵とプロフィールから選ばれた１項目以上を転写印刷又は焼付印刷したタイルが取付けた戒名入りフォトプレートである。なお、前記フォトプレートは額縁の嵌め込み部に取付け、取り外しが出来るようにしても良い。
【０００８】
上記の課題解決手段による作用は次の通りである。すなわち、従来の位牌において、戒名を記載してある表示部に戒名のみでなく、俗名や顔写真やメッセージなど思い出として残したい事を表示することができるため、使用者の故人又は亡くなった動物などに対する親しみをより深く感じさせることができる。また、タイルに転写印刷又は焼付印刷された文字や写真などの表面は印刷過程において加熱・加圧され印刷面を保護する保護層が形成されるため、耐候性、耐久性、対溶剤性、対薬品性が大幅に強化される。その保護層により印刷部分の紫外線等による変色や褪色を抑えられるため、半永久的に文字や写真などをタイルの表面に残すことができる。また、そのタイルは額縁に嵌め込むことができるために視覚的にも仏具としてのイメージを少なくすることができ、着脱可能なために使用者の気持ちに応じてタイルを変化させることができる。
【発明の効果】
【０００９】
上述したように本発明の戒名入りフォトプレートは、表示される文字や写真などをタイルに印刷すると同時に表面を保護するため、印刷部分の変色や褪色を防止することができ、いつまでも変わらない思い出の品を提供できる。
【００１０】
また、残しておきたい多くの思い出をいつまでも表示することができるとともに、使用者の方へ命に対する尊い気持ちや親しみをより深く感じさせることができ、親近感のある思い出の品を提供できる。
【００１１】
また、多くの思い出がタイルに印刷された後に額縁のなかに嵌め込まれるため、さらに視覚的に美感性を高め、従来の仏具としての位置付けではなく生活用品として認識させ、故人を身近な存在として感じさせることにより、日常的に故人を敬い、手を合わせる気持ちをより多くの人に普及させるという効果を発揮するものである。
【００１２】
また、タイルは取付け、取り外し可能なため、いつまでも変わらない思いとともに、記念日や命日や季節等に応じて使用者の気持ちにより様々な変化を与えることもできる。
【発明を実施するための最良の形態】
【００１３】
以下、本発明の実施の形態を図１〜図５に基づいて説明する。
【００１４】
図１に示すように、額縁１はタイル嵌め込み部７が設けられており、そのタイル嵌め込み部７に顔写真１０と戒名１１と享年１２と俗名１３と命日１４が転写印刷されたタイル２が取付けされている。
【００１５】
額縁１は木製と石製と鉄製と鋼製とプラスチック製と紙製と皮製の材質の中から選択することができ、形状も正方形と長方形と円形と楕円形と多角形の形状の中から選択することができる。また、使用者の希望に応じて前記項目以外の材質や形状も製作することができる。
【００１６】
また、タイル嵌め込み部７の形状は、タイル２が額縁１の表面より出る深さとタイル２と額縁１が同じ高さになる深さとタイル２が額縁１の表面より低くなる深さとタイル嵌め込み部７を設けずに直接タイル２を取り付ける形状があり、使用者により変えることができる。
【００１７】
図１は、長方形の形状をした木製の額縁１を選択し、タイル嵌め込み部７の形状はタイル２が額縁１の表面より低くなる深さのものを選択した。
【００１８】
図３の形状においては、タイル２は、額縁１の裏板嵌め込み部６に嵌め込まれる裏板３の全面略中央に接着剤または両面テープでもって接着される。４は接着部分である。
【００１９】
裏板３に、タイル２を重ね合わせて一体にし、額縁１の裏板嵌め込み部６に嵌め込み、留め金５を回して裏板３と同時にタイル２をタイル嵌め込み部７に嵌め込み、額縁１に固定する。
【００２０】
図３と図４に示すように、額縁１の裏面にスタンド穴８を２カ所設け、そのスタンド穴８にスタンド用棒９を差し込み、額縁１自体が自立できるようにする。なお、スタンド用棒９は着脱可能であり、２カ所あるスタンド穴のどちらかに差し込むことにより、タイル２の表面に印刷される写真や文字のレイアウトや、絵柄や全体形状のバランスを考慮して縦にしたり、横にしたりすることもできる。
【００２１】
図５の形状においては、額縁１の表面にタイル２の外形寸法より僅かに大きい内法寸法でタイル嵌め込み部７を設け、タイル２はそのタイル嵌め込み部７に接着剤または両面テープでもって接着し、タイル２を額縁１に固定してもよい。
【００２２】
また、額縁１の材質と形状およびタイル２の表面記載事項は使用者の要望に応じて選択して記載する。
【００２３】
額縁１の材質と形状および表面記載事項の一例を図２に示す。額縁１は石製で楕円形のタイル嵌め込み部７にタイル２を取り付ける。タイル２に享年１２と命日１４と動物写真１５と戒名１３（ただしペットの場合は名前１６と同じにしてもよい）とメッセージ１７を全体のバランスを考慮してレイアウトする。そのレイアウトされた記載事項をタイル２に転写印刷または焼付印刷する。転写印刷または焼付印刷することにより表面を保護する保護層を形成することができる。
【図面の簡単な説明】
【００２４】
【図１】本発明の実施例を示す外観図
【図２】同の他の実施例を示す正面図
【図３】同の実施例のA-A断面図
【図４】同の実施例の裏面図
【図５】同の他の実施例のA-A断面図
【符号の説明】
【００２５】
１    額縁
２    タイル
３    裏板
４    接着部分
５    留め金
６    裏板嵌め込み部
７    タイル嵌め込み部
８    スタンド穴
９    スタンド用棒
１０  顔写真
１１  戒名
１２  享年
１３  俗名
１４  命日
１５  動物写真
１６  名前
１７  メッセージ
【図１】
2006158405.tif 000003
【図２】
2006158405.tif 000004
【図３】
2006158405.tif 000005
【図４】
2006158405.tif 000006
【図５】
2006158405.tif 000007